(57)【要約】【課題】表示部が小さい場合にも、視認性を向上することが可能な表示装置を提供すること。【解決手段】複合機は、設定項目が複数配列されたリスト画面を液晶ディスプレイに表示し、リスト画面において１つの設定項目を指定してフォーカス状態とし、ＯＫキーが押下されることに応じて、フォーカス状態にある設定項目を選択して設定値の入力を受け付け可能な選択状態にする。また、複合機は、フォーカス表示手段と、非フォーカス表示手段と、を備える。フォーカス表示手段は、リスト画面を表示する際に、フォーカス状態にある設定項目について２段の表示を行い、一の段に設定項目を、他の段に設定値を、それぞれ表示する。非フォーカス表示手段は、リスト画面を表示する際に、フォーカス状態にない設定項目について１段の表示を行い、その段に設定項目を表示する。【選択図】図５
2011076339.tif 000002
【特許請求の範囲】
【請求項１】
複数の設定項目の各々に設定された設定値に従って所定の機能を実行するため、前記設定項目が複数配列されたリスト画面を表示部に表示し、前記リスト画面において１つの前記設定項目を指定してフォーカス状態とし、所定の入力操作が行われることに応じて、前記フォーカス状態にある前記設定項目を選択して前記設定値の入力を受け付け可能な選択状態にする表示装置において、
前記リスト画面を表示する際に、前記フォーカス状態にある前記設定項目について２段の表示を行い、一の段に前記設定項目を、他の段に前記設定値を、それぞれ表示するフォーカス表示手段と、
前記リスト画面を表示する際に、前記フォーカス状態にない前記設定項目について１段の表示を行い、その段に前記設定項目を表示する非フォーカス表示手段と、
を備えることを特徴とする表示装置。
【請求項２】
前記フォーカス表示手段は、上段に前記設定項目を表示し、下段に前記設定値を表示する
ことを特徴とする請求項１に記載の表示装置。
【請求項３】
前記フォーカス表示手段は、前記一の段における一端に寄せて前記設定項目を表示し、前記他の段における、前記一の段における一端とは反対の端に寄せて前記設定値を表示し、
前記非フォーカス表示手段は、前記非フォーカス表示手段が表示する段における、前記一の段における一端と同じ端に寄せて前記設定項目を表示する
ことを特徴とする請求項１又は２に記載の表示装置。
【請求項４】
前記フォーカス表示手段は、前記設定項目を左揃えで表示し、前記設定値を右揃えで表示し、
前記非フォーカス表示手段は、前記設定項目を左揃えで表示する
ことを特徴とする請求項３に記載の表示装置。
【発明の詳細な説明】
【技術分野】
【０００１】
本発明は、設定項目をリスト表示する表示装置に関する。
【背景技術】
【０００２】
従来、設定項目毎に設定値を変更するため、設定項目を表示部にリスト表示する表示装置がある。これに関連して、例えば、特許文献１には、電子カメラにおいて、設定項目を十字キーで選択する技術、特定の設定項目を拡大表示する技術、設定項目と設定値とを表示する技術、が開示されている。また、特許文献２には、携帯電話機において、複数のアイコンのうち１つを指定するフォーカスを上下左右キー（ジョイスティック）で移動する技術、フォーカスが当たったアイコンを拡大表示し、それ以外のアイコンは元のサイズで表示する技術、アイコンを選択することでそのアイコンに関連する設定項目の設定値を変更する画面を表示する技術が開示されている。
【先行技術文献】
【特許文献】
【０００３】
【特許文献１】特開２００２−２８１３５２号公報
【特許文献２】特開２００２−２６１９１８号公報
【発明の概要】
【発明が解決しようとする課題】
【０００４】
しかしながら、特許文献１に開示されるように設定項目と設定値とを横に並べて表示したのでは、横方向に表示領域が必要となる。よって、設定項目や設定値を示す文字列が長いと、省略して表示せざるを得ないことがあるなど、特に表示部が小さい場合に支障がある。また、特許文献２に開示されるようにアイコンを用いて設定項目を省略して表示したのでは、アイコンの表す設定項目が何なのか分かり辛いことがある。また、現在の設定値を参照するためには、その都度アイコンの選択が必要となり、ユーザの利便性が低下する。
【０００５】
本発明は上記の課題に鑑み提案されたものである。本発明は、表示部が小さい場合にも、視認性を向上することが可能な表示装置を提供することを目的とする。
【課題を解決するための手段】
【０００６】
本発明に係る表示装置は、複数の設定項目の各々に設定された設定値に従って所定の機能を実行するため、設定項目が複数配列されたリスト画面を表示部に表示し、リスト画面において１つの設定項目を指定してフォーカス状態とし、所定の入力操作が行われることに応じて、フォーカス状態にある設定項目を選択して設定値の入力を受け付け可能な選択状態にする。表示装置の一例としては、電話機、ＦＡＸ機、コピー機やこれらの複合機が挙げられる。また、所定の入力操作の一例としては、表示装置に設けられるＯＫキーの押下が挙げられる。
【０００７】
本発明に係る表示装置は、フォーカス表示手段と、非フォーカス表示手段と、を備える。フォーカス表示手段は、リスト画面を表示する際に、フォーカス状態にある設定項目について２段の表示を行い、一の段に設定項目を、他の段に設定値を、それぞれ表示する。非フォーカス表示手段は、リスト画面を表示する際に、フォーカス状態にない設定項目について１段の表示を行い、その段に設定項目を表示する。
【０００８】
これにより、設定項目のリスト表示において、フォーカス状態にある設定項目についてだけ設定値が表示される。よって、フォーカス状態にある設定項目が明確になるとともに、表示部が小さい場合にも、一度に表示することができる設定項目の数を確保することができる。設定項目のリスト表示において、フォーカス状態にある設定項目の設定値を同時に参照することができるので、現在の設定値を参照するだけのために設定項目を選択して表示画面を切り替える手間が省ける。
【０００９】
また、設定項目と設定値とを上下に２段表示するため、横方向への表示領域の広がりを抑えることができる。よって、アイコン等による省略表示の必要がなく、文字列による分かり易い表示が可能となる。
【００１０】
また、フォーカス表示手段は、上段に設定項目を表示し、下段に設定値を表示する、としてもよい。フォーカス表示手段は、一の段における一端に寄せて設定項目を表示し、他の段における、一の段における一端とは反対の端に寄せて設定値を表示する、とし、非フォーカス表示手段は、非フォーカス表示手段が表示する段における、一の段における一端と同じ端に寄せて設定項目を表示する、としてもよい。さらに、フォーカス表示手段は、設定項目を左揃えで表示し、設定値を右揃えで表示する、とし、非フォーカス表示手段は、設定項目を左揃えで表示する、としてもよい。
【００１１】
これにより、単に上下に２段表示する場合と比較して、表示が詰まることなく、より見易くなる。よって、ユーザの利便性を向上することができる。
【発明の効果】
【００１２】
本発明に係る表示装置によれば、表示部が小さい場合にも、視認性を向上することができる。
【図面の簡単な説明】
【００１３】
【図１】表示装置の一例である複合機の外観図及び構成図である。
【図２】設定項目及び設定値の一例である。
【図３】リスト画面の表示処理のフローチャートである。
【図４】フォーカス移動処理のフローチャートである。
【図５】リスト画面の一例である。
【図６】リスト再表示処理のフローチャートである。
【発明を実施するための形態】
【００１４】
図面を参照して実施例を説明する。図１は、本発明の表示装置の一例として、複合機１０の外観図及び構成図を示す。複合機１０は、コピー機能、プリンタ機能、スキャナ機能、ファクシミリ機能、電話機能などを有する。図１の外観図に示されるように、複合機１０の上面正面側には、液晶ディスプレイ５０及び操作キー５２が設けられている。液晶ディスプレイ５０には、複合機１０の状態に応じて、様々な画面が表示される。操作キー５２は、上下左右キー、Ｃｏｐｙキー、ＯＫキー、Ｂａｃｋキー、Ｓｔｏｐキー、テンキー、等の複数のキーによって構成される。
【００１５】
図１の構成図に示されるように、複合機１０は、制御部１２、液晶ディスプレイ５０、操作キー５２、印刷部５４、スキャン部５６、ＦＡＸ部５８、ネットワークインターフェイス６０、等を有する。制御部１２は、ＣＰＵ１４、ＲＯＭ１６、ＲＡＭ３０、ＮＶＲＡＭ４０、等を有する。
【００１６】
ＣＰＵ１４は、ＲＯＭ１６に記憶されているプログラムに従って様々な処理を実行する。ＣＰＵ１４が実行する処理については、後で詳しく説明する。ＲＯＭ１６は、複合機１０の基本的な動作を制御するための基本機能プログラム１８を記憶している。基本機能プログラム１８は、例えば、液晶ディスプレイ５０における表示処理に用いられる。ＲＡＭ３０は、基本機能ワーク領域３２を備える。基本機能ワーク領域３２は、基本機能プログラム１８に従って処理が実行される過程で生成される各種データを記憶するための記憶領域である。ＮＶＲＡＭ４０は、基本機能パラメータ記憶領域４２を有する。基本機能パラメータ記憶領域４２は、ＣＰＵ１４が基本機能プログラム１８に従って処理を実行する際に利用される各種パラメータを記憶するための記憶領域である。
【００１７】
ネットワークインターフェイス６０は、ＬＡＮ回線４に接続されている。複合機１０は、外部に接続されたパーソナルコンピュータと通信可能であるとともに、インターネットにアクセス可能とされる。
【００１８】
続いて、ＮＶＲＡＭ４０の基本機能パラメータ記憶領域４２に記憶される、設定項目及び設定値について説明する。図２は、設定項目及び設定値の一例として、複合機１０のコピー機能に関連する設定項目及び設定値の具体例を示す。図２に示されるように、本実施例では、複合機１０のコピー機能に関連して、項目番号１〜１０が付与された１０の設定項目が存在し、設定項目毎に２〜５個の設定値が存在する。ユーザは、各設定項目の設定値を、複数の設定値の中から選択することができる。また、各設定項目に対して現在選択されている設定値がドット地で示されている。複合機１０は、複数の設定項目の各々に設定された設定値に従って、コピー機能を実行する。
【００１９】
上記のように構成された複合機１０は、設定項目毎に設定値を変更するため、設定項目が複数配列されたリスト画面を液晶ディスプレイ５０に表示する。複合機１０は、例えば、待機画面を表示中にＣｏｐｙキーが押下されると、リスト画面を表示する。そして、複合機１０は、リスト画面を表示中にＯＫキーが押下されると設定値選択画面に遷移して設定値の選択を受け付け、Ｂａｃｋキーが押下されると待機画面に戻る。また、複合機１０は、設定値選択画面を表示中にＢａｃｋキーが押下されると再びリスト画面に遷移し、Ｓｔｏｐキーが押下されると待機画面に戻る。なお、表示画面の遷移と操作キー５２との対応は、任意に設計することが可能である。例えば、リスト画面を表示している場合に、右キーで設定値選択画面に遷移するようにしてもよいし、左キーで待機画面に戻るようにしてもよい。以下では、図３乃至図６を参照して、複合機１０において実行されるリスト画面の表示処理を説明する。
【００２０】
図３は、リスト画面の表示処理のフローチャートである。リスト画面の表示処理は、例えば、待機画面を表示中にＣｏｐｙキーが押下されることにより、開始される。Ｓ１１において、ＣＰＵ１４は、設定項目のリスト画面を液晶ディスプレイ５０に初期表示する。これにより、本実施例では、図５（Ａ１）に示されるように、Ｑｕａｌｉｔｙ、Ｅｎｌａｒｇｅ／Ｒｅｄｕｃｅ、Ｐａｐｅｒ  Ｔｙｐｅの３つの設定項目が液晶ディスプレイ５０に表示される。また、本実施例における初期表示では、ＣＰＵ１４は、設定項目Ｑｕａｌｉｔｙを指定してフォーカス状態とし、設定項目Ｑｕａｌｉｔｙとその現在の設定値Ｆａｓｔとを上下に２段表示する。なお、図５では、リスト画面の表示例の横に、リスト画面の表示処理に用いられる内部変数ｘ、ｙが併記されている。ここで、ｘは、現在フォーカス状態にある設定項目の項目番号を示す内部変数である。ｙは、リスト画面に表示される３つの設定項目のうち一番上に表示される設定項目の項目番号を示す内部変数である。ＣＰＵ１４は、ＲＡＭ３０の基本機能ワーク領域３２に記憶される内部変数ｘ、ｙを用いてリスト画面の表示処理を行う。また、内部変数ｘ、ｙの初期値は、ｘ＝１、ｙ＝１とされる。その結果、リスト画面の初期表示では、項目番号１の設定項目Ｑｕａｌｉｔｙがフォーカス状態とされ、項目番号１の設定項目Ｑｕａｌｉｔｙ、項目番号２の設定項目Ｅｎｌａｒｇｅ／Ｒｅｄｕｃｅ、項目番号３の設定項目Ｐａｐｅｒ  Ｔｙｐｅが上から順に表示されることになる。
【００２１】
Ｓ１３において、ＣＰＵ１４は、ユーザによる操作キー５２の押下に基づいて、キー入力の判断処理を行う。キー入力が上下キーである場合、ＣＰＵ１４は、Ｓ１５のフォーカス移動処理、Ｓ１７のリスト再表示処理を順に行い、Ｓ１３に戻る。Ｓ１５におけるフォーカス移動処理、Ｓ１７におけるリスト再表示処理については、後述する。キー入力が左右キー、Ｂａｃｋキー、ＯＫキーである場合、ＣＰＵ１４は、Ｓ１９に移行する。Ｓ１９において、液晶ディスプレイ５０の表示画面はリスト画面から待機画面又は設定値選択画面に遷移し、ＣＰＵ１４はリスト画面の表示処理を終了する。本実施例では、液晶ディスプレイ５０の表示画面は、キー入力がＢａｃｋキー若しくは左キーの場合に待機画面に遷移し、キー入力がＯＫキー若しくは右キーの場合に設定値選択画面に遷移する。また、ＯＫキー若しくは右キーの入力に応じて設定値選択画面へ遷移するのに伴って、フォーカス状態にある設定項目が選択され、設定値の入力を受け付け可能な選択状態になる。キー入力が上下左右キー、Ｂａｃｋキー、ＯＫキー以外のその他のキーである場合、ＣＰＵ１４は、Ｓ２１に移行する。Ｓ２１において、ＣＰＵ１４は、共通デフォルトキー処理を行い、Ｓ１３に戻る。共通デフォルトキー処理では、キー入力に従って既定の処理が行われる。例えば、キー入力がＳｔｏｐキーの場合、ＣＰＵ１４は、リスト画面の表示処理から抜けて、液晶ディスプレイ５０の表示画面を待機画面に戻す。また、キー入力がテンキーの場合、ＣＰＵ１４は、キー入力が無効であることを示す拒否音を鳴らす。
【００２２】
図３のＳ１５におけるフォーカス移動処理について、図４を参照して説明する。Ｓ１５１において、ＣＰＵ１４は、キー入力が上キーであるか、下キーであるかを判断する。キー入力が上キーである場合、ＣＰＵ１４は、Ｓ１５２において、内部変数ｘが１であるか、１以外であるかを判断する。内部変数ｘが１である場合、ＣＰＵ１４は、Ｓ１５３において内部変数ｘに１０を代入し、Ｓ１５４において内部変数ｙに８を代入し、フォーカス移動処理を終了する。Ｓ１５３、Ｓ１５４の処理に伴ってフォーカスが移動する様子の具体例を、図５（Ａ１）、（Ａ２）を参照して説明する。
【００２３】
図５（Ａ１）のリスト画面では、内部変数ｘが１であるため、項目番号１の設定項目Ｑｕａｌｉｔｙがフォーカス状態にある。また、内部変数ｙが１であるため、上から順に項目番号１〜３の設定項目Ｑｕａｌｉｔｙ、Ｅｎｌａｒｇｅ／Ｒｅｄｕｃｅ、Ｐａｐｅｒ  Ｔｙｐｅが表示される。この状態で上キーが押下されると、Ｓ１５３、Ｓ１５４の処理によって、内部変数ｘ、ｙは、ｘ＝１０、ｙ＝８とされる。その結果、図５（Ａ２）に示されるように、項目番号１０の設定項目Ｂｏｏｋ  Ｃｏｐｙがフォーカス状態とされ、上から順に項目番号８〜１０の設定項目Ｓｔａｃｋ／Ｓｏｒｔ、Ｐａｇｅ  Ｌａｙｏｕｔ、Ｂｏｏｋ  Ｃｏｐｙが表示されることになる。
【００２４】
また、Ｓ１５２において、内部変数ｘが１以外である場合、ＣＰＵ１４は、Ｓ１５５において内部変数ｘから１を減算し、Ｓ１５６において内部変数ｘ、ｙについてｘ＜ｙであるか否かを判断する。ｘ＜ｙである場合（Ｓ１５６：Ｙｅｓ）、ＣＰＵ１４は、Ｓ１５７において、内部変数ｙに内部変数ｘの値を代入し、フォーカス移動処理を終了する。ｘ＜ｙでない場合（Ｓ１５６：Ｎｏ）、ＣＰＵ１４は、Ｓ１５７をスキップして、フォーカス移動処理を終了する。Ｓ１５５、Ｓ１５６、Ｓ１５７の処理に伴ってフォーカスが移動する様子の具体例を、図５（Ｂ１）、（Ｂ２）と図５（Ｃ１）、（Ｃ２）とを参照して説明する。
【００２５】
図５（Ｂ１）のリスト画面では、内部変数ｘが７であるため、項目番号７の設定項目Ｉｎｋ  Ｓａｖｅ  Ｍｏｄｅがフォーカス状態にある。また、内部変数ｙが６であるため、上から順に項目番号６〜８の設定項目Ｃｏｎｔｒａｓｔ、Ｉｎｋ  Ｓａｖｅ  Ｍｏｄｅ、Ｓｔａｃｋ／Ｓｏｒｔが表示される。この状態で上キーが押下されると、Ｓ１５５の処理によって、内部変数ｘは、ｘ＝７−１＝６とされる。内部変数ｙは６であるため、ＣＰＵ１４は、Ｓ１５６においてｘ＜ｙでないと判断する。そのため、ＣＰＵ１４は、Ｓ１５７をスキップする。したがって、内部変数ｘ、ｙは、ｘ＝６、ｙ＝６となる。その結果、図５（Ｂ２）に示されるように、項目番号６の設定項目Ｃｏｎｔｒａｓｔがフォーカス状態とされ、上から順に項目番号６〜８の設定項目Ｃｏｎｔｒａｓｔ、Ｉｎｋ  Ｓａｖｅ  Ｍｏｄｅ、Ｓｔａｃｋ／Ｓｏｒｔが表示されることになる。
【００２６】
図５（Ｃ１）のリスト画面では、内部変数ｘが７であるため、項目番号７の設定項目Ｉｎｋ  Ｓａｖｅ  Ｍｏｄｅがフォーカス状態にある。また、内部変数ｙが７であるため、上から順に項目番号７〜９の設定項目Ｉｎｋ  Ｓａｖｅ  Ｍｏｄｅ、Ｓｔａｃｋ／Ｓｏｒｔ、Ｐａｇｅ  Ｌａｙｏｕｔが表示される。この状態で上キーが押下されると、Ｓ１５５の処理によって、内部変数ｘは、ｘ＝７−１＝６とされる。内部変数ｙは７であるため、ＣＰＵ１４は、Ｓ１５６においてｘ＜ｙであると判断する。そのため、Ｓ１５７において、内部変数ｙは、ｙ＝ｘ＝６とされる。したがって、内部変数ｘ、ｙは、ｘ＝６、ｙ＝６となる。その結果、図５（Ｃ２）に示されるように、項目番号６の設定項目Ｃｏｎｔｒａｓｔがフォーカス状態とされ、上から順に項目番号６〜８の設定項目Ｃｏｎｔｒａｓｔ、Ｉｎｋ  Ｓａｖｅ  Ｍｏｄｅ、Ｓｔａｃｋ／Ｓｏｒｔが表示されることになる。
【００２７】
一方、Ｓ１５１において、キー入力が下キーである場合、ＣＰＵ１４は、Ｓ１５８において、内部変数ｘが１０であるか、１０以外であるかを判断する。内部変数ｘが１０以外である場合、ＣＰＵ１４は、Ｓ１５９において内部変数ｘに１を加算し、Ｓ１６０において内部変数ｘ、ｙについてｘ＞ｙ＋２であるか否かを判断する。ｘ＞ｙ＋２である場合（Ｓ１６０：Ｙｅｓ）、ＣＰＵ１４は、Ｓ１６１において、内部変数ｘから２を減算した値を内部変数ｙに代入し、フォーカス移動処理を終了する。ｘ＞ｙ＋２でない場合（Ｓ１６０：Ｎｏ）、ＣＰＵ１４は、Ｓ１６１をスキップして、フォーカス移動処理を終了する。Ｓ１５９、Ｓ１６０、Ｓ１６１の処理によって、フォーカスは、Ｓ１５５、Ｓ１５６、Ｓ１５７の処理とは対照的に移動する。
【００２８】
また、Ｓ１５８において、内部変数ｘが１０である場合、ＣＰＵ１４は、Ｓ１６２において内部変数ｘに１を代入し、Ｓ１６３において内部変数ｙに１を代入し、フォーカス移動処理を終了する。Ｓ１６２、Ｓ１６３の処理によって、フォーカスは、Ｓ１５３、Ｓ１５４の処理とは対照的に移動する。
【００２９】
前述のように、ＣＰＵ１４は、図３のＳ１３においてキー入力が上下キーである場合に、フォーカス移動処理を行う。ＣＰＵ１４は、リスト画面を表示中に上下キーが押下されるのに従って図４のフォーカス移動処理を行うことによって、フォーカスを上下に移動することができる。
【００３０】
図３のＳ１７におけるリスト再表示処理について、図６を参照して説明する。Ｓ１７１において、ＣＰＵ１４は、ＲＡＭ３０の基本機能ワーク領域３２に記憶される第１カウンタｉに０を代入し、以降のループ処理を行う。Ｓ１７２において、ＣＰＵ１４は、内部変数ｙの値と第１カウンタｉの値との加算値を、ＲＡＭ３０の基本機能ワーク領域３２に記憶される第２カウンタｊに代入する。Ｓ１７３において、ＣＰＵ１４は、第２カウンタｊの値と内部変数ｘの値とを比較し、ｊ＝ｘであるか否かを判断する。ｊ＝ｘである場合（Ｓ１７３：Ｙｅｓ）、ＣＰＵ１４は、Ｓ１７４において、ＲＡＭ３０の基本機能ワーク領域３２から第１カウンタｉの値と第２カウンタｊの値とを読み出す。そして、ＣＰＵ１４は、３つの設定項目が表示されるリスト画面の上からｉ番目に、上段左揃えで項目番号ｊの設定項目を表示し、下段右揃えで項目番号ｊの設定項目の現在の設定値を表示する。また、ｊ＝ｘでない場合（Ｓ１７３：Ｎｏ）、ＣＰＵ１４は、Ｓ１７５において、ＲＡＭ３０の基本機能ワーク領域３２から第１カウンタｉの値と第２カウンタｊの値とを読み出す。そして、ＣＰＵ１４は、３つの設定項目が表示されるリスト画面の上からｉ番目に、左揃えで項目番号ｊの設定項目を表示する。
【００３１】
Ｓ１７６において、ＣＰＵ１４は、第１カウンタｉに１を加算する。Ｓ１７７において、ＣＰＵ１４は、第１カウンタｉについて、条件ｉ＞２を満たしているか否かを判断する。ＣＰＵ１４は、第１カウンタｉが条件ｉ＞２を満たしていなければ、Ｓ１７２以降の処理を繰り返し、第１カウンタｉが条件ｉ＞２を満たしていれば、ループを抜け、リスト再表示処理を終了する。
【００３２】
前述のように、ＣＰＵ１４は、図３のＳ１５におけるフォーカス移動処理の後、リスト再表示処理を行う。ＣＰＵ１４は、フォーカス移動処理において内部変数ｘ、ｙが変化するのに応じて図６のリスト再表示処理を行うことによって、リスト画面を再表示する。これにより、図５に示されるように、フォーカス移動処理の結果がリスト画面上に反映され、フォーカス状態にある設定項目について、設定項目と設定値が上下に２段表示される。また、リスト画面において、３つの設定項目は左揃えで表示され、設定値は右揃えで表示される。
【００３３】
本実施例の効果を以下に説明する。本実施例に係る複合機１０では、設定項目のリスト画面において、フォーカス状態にある設定項目についてだけ設定値が表示される。よって、フォーカス状態にある設定項目が明確になるとともに、液晶ディスプレイ５０が小さい場合にも、一度に表示することができる設定項目の数を確保することができる。そのため、本実施例のように、例えば、３つの設定項目を表示することが可能となる。また、設定項目のリスト画面において、フォーカス状態にある設定項目の設定値を同時に参照することができるので、現在の設定値を参照するだけのために設定項目を選択して設定値選択画面に遷移する手間が省ける。
【００３４】
また、本実施例に係る複合機１０では、設定項目のリスト画面において、設定項目と設定値とを上下に２段表示するため、横方向への表示領域の広がりを抑えることができる。よって、アイコン等による省略表示の必要がなく、設定項目や設定値を示す文字列が長い場合にも、文字列による分かり易い表示が可能となる。
【００３５】
また、本実施例に係る複合機１０では、設定項目のリスト画面において、３つの設定項目が左揃えで表示され、フォーカス状態にある設定項目の設定値が右揃えで表示される。これにより、表示が詰まることなく、より見易くなる。よって、ユーザの利便性を向上することができる。本実施例に係る複合機１０によれば、液晶ディスプレイ５０が小さい場合にも、視認性を向上することができる。
【００３６】
以上、本発明の実施例を詳細に説明したが、これらは例示に過ぎず、特許請求の範囲を限定するものではない。特許請求の範囲に記載の技術には、上記の実施例を様々に変形、変更したものが含まれる。上記の実施例の変形例を以下に列挙する。
【００３７】
本実施例では、複合機１０のコピー機能に関連する設定項目及び設定値の具体例を挙げて説明したが、これに限られない。複合機１０の有する他の機能、例えば、プリンタ機能やスキャナ機能やファクシミリ機能や電話機能やネットワーク通信機能に関連する設定項目及び設定値についても同様である。
【００３８】
また、本実施例では、リスト画面において、３つの設定項目は左揃えで表示され、設定値は右揃えで表示される場合を説明したが、これに限られない。３つの設定項目を液晶ディスプレイ５０の中央より左（若しくは右）に寄せて表示し、設定値を液晶ディスプレイ５０の中央より右（若しくは左）に寄せて表示するようにしてもよい。また、フォーカス状態にある設定項目について、上段に設定値を表示し、下段に設定項目を表示するようにしてもよい。
【００３９】
なお、特許請求の範囲との対応は以下の通りである。
液晶ディスプレイ５０は表示部の一例、複合機１０は表示装置の一例である。また、Ｓ１７４を実行するＣＰＵ１４によってフォーカス表示手段が実現され、Ｓ１７５を実行するＣＰＵ１４によって非フォーカス表示手段が実現される。
【符号の説明】
【００４０】
１０  複合機
１２  制御部
１４  ＣＰＵ
５０  液晶ディスプレイ
５２  操作キー
【図１】
2011076339.tif 000003
【図２】
2011076339.tif 000004
【図３】
2011076339.tif 000005
【図４】
2011076339.tif 000006
【図５】
2011076339.tif 000007
【図６】
2011076339.tif 000008